(57)【特許請求の範囲】
【請求項１】
ジェットポンプビーム（８６）の係止デバイス（１１０）用のロックプレート（４００、８００、９００）であって、前記係止デバイス（１１０）が係止スリーブ（１１２）を含み、前記係止スリーブ（１１２）が、前記係止スリーブ（１１２）の第１の端部（１１８）から第２の端部（１２２）まで延びる穴（１２０）と、前記係止スリーブ（１１２）の外縁の周りに複数の係止スリーブラチェット歯（１４４）を有する下部分（１１６）とを含み、前記ロックプレート（４００、８００、９００）が、
前記係止スリーブ（１１２）を受け入れるように寸法決めされたビームボルト孔（１２６）と、
一体型ビームスプリングアーム（１２８）であり、
前記スプリングアーム（１２８）のうち前記ビームボルト孔（１２６）の中心に面する側部（１３８）の少なくとも一部分から延びる複数のスプリングアームラチェット歯（１３６）であり、前記係止スリーブラチェット歯（１４４）と噛合するように寸法決めされる複数のスプリングアームラチェット歯（１３６）と、
前記スプリングアーム（１２８）の側部の少なくとも一部分から前記ビームボルト孔（１２６）の中心に向けて延びる捕捉特徴部（１５０、８５０、９５０）と、
を含む一体型ビームスプリングアーム（１２８）と、を備え、
前記一体型ビームスプリングアーム（１２８）が、ｉ）前記係止スリーブ（１１２）が前記ビームボルト孔（１２６）内にあり、前記捕捉特徴部（１５０、８５０、９５０）の少なくとも一部分が前記係止スリーブ（１１２）の前記下部分（１１６）の上面（１５２）と垂直に重なる係合配置と、ｉｉ）前記係止スリーブ（１１２）が前記ビームボルト孔（１２６）内にあり、前記捕捉特徴部（１５０、８５０、９５０）が前記上面（１５２）と垂直に重ならない離脱配置との両方を前記スプリングアーム（１２８）が有するような構造とされる、ロックプレート（４００、８００、９００）。
【請求項２】
前記スプリングアーム（１２８）の前記係合配置が、前記スプリングアームラチェット歯（１３６）が前記係止スリーブラチェット歯（１４４）と係合される配置であり、前記スプリングアーム（１２８）の前記離脱配置が、前記スプリングアームラチェット歯（１３６）が前記係止スリーブラチェット歯（１４４）と係合されない配置である、請求項１に記載のロックプレート（４００、８００、９００）。
【請求項３】
前記捕捉特徴部（９５０）の少なくとも一部分が、前記スプリングアーム（１２８）上の前記スプリングアームラチェット歯（１３６）の位置と、前記スプリングアーム（１２８）のうち前記スプリングアーム（１２８）が前記ロックプレート（９００）の残り部分に接合する端部とは反対の前記スプリングアーム（１２８）の先端部（９５５）との間で、前記スプリングアーム（１２８）上の配置に位置する、請求項１に記載のロックプレート（９００）。
【請求項４】
ジェットポンプビーム（８６）用の係止デバイス（１１０）であって、前記ジェットポンプビーム（８６）が、ヘッド（９６）を有するビームボルト（９４）を含み、前記係止デバイス（１１０）が、
係止スリーブ（１１２）であり、前記係止スリーブ（１１２）の第１の端部（１１８）から第２の端部（１２２）まで延びる穴（１２０）を含む係止スリーブ（１１２）と、
前記係止スリーブ（１１２）の外縁の周りに複数の係止スリーブラチェット歯（１４４）を有する下部分（１１６）と、を備え、ロックプレート（４００、８００、９００）が、
前記係止スリーブ（１１２）を受け入れるように寸法決めされたビームボルト孔（１２６）と、
一体型ビームスプリングアーム（１２８）であり、
前記スプリングアーム（１２８）のうち前記ビームボルト孔（１２６）の中心に面する側部（１３８）の少なくとも一部分から延びる複数のスプリングアームラチェット歯（１３６）であり、前記係止スリーブラチェット歯（１４４）と噛合するように寸法決めされる複数のスプリングアームラチェット歯（１３６）と、
前記スプリングアーム（１２８）の側部の少なくとも一部分から前記ビームボルト孔（１２６）の中心に向けて延びる捕捉特徴部（１５０、８５０、９５０）と、
を含む一体型ビームスプリングアーム（１２８）と、
を含み、
前記一体型ビームスプリングアーム（１２８）が、ｉ）前記係止スリーブ（１１２）が前記ビームボルト孔（１２６）内にあり、前記捕捉特徴部（１５０、８５０、９５０）の少なくとも一部分が前記係止スリーブ（１１２）の前記下部分（１１６）の上面（１５２）と垂直に重なる係合配置と、ｉｉ）前記係止スリーブ（１１２）が前記ビームボルト孔（１２６）内にあり、前記捕捉特徴部（１５０、８５０、９５０）が前記上面（１５２）と垂直に重ならない離脱配置との両方を前記スプリングアーム（１２８）が有するような構造とされる、係止デバイス（１１０）。
【請求項５】
前記スプリングアーム（１２８）の前記係合配置が、前記スプリングアームラチェット歯（１３６）が前記係止スリーブラチェット歯（１４４）と係合される配置であり、前記スプリングアーム（１２８）の前記離脱配置が、前記スプリングアームラチェット歯（１３６）が前記係止スリーブラチェット歯（１４４）と係合されない配置である、請求項４に記載の係止デバイス（１１０）。
【請求項６】
前記捕捉特徴部（９５０）の少なくとも一部分が、前記スプリングアーム（１２８）上の前記スプリングアームラチェット歯（１３６）の位置と、前記スプリングアーム（１２８）のうち前記スプリングアーム（１２８）が前記ロックプレート（９００）の残り部分に接合する端部とは反対の前記スプリングアーム（１２８）の先端部（９５５）との間で、前記スプリングアーム（１２８）上の配置に位置する、請求項４に記載の係止デバイス（１１０）。
【請求項７】
ライザ管（３６）と、
少なくとも１つの入口ミキサ（４０）と、
前記少なくとも１つの入口ミキサ（４０）に結合される少なくとも１つのディフューザ（４２）と、
少なくとも２つの支持アームを含み、前記ライザ管（３６）を前記少なくとも１つの入口ミキサ（４０）に結合するトランジションアセンブリ（３８）と、
前記少なくとも２つの支持アームの２つの間に延び、ネジ切りされたボルト孔（１０６）を含むジェットポンプビーム（８６）と、
ビームボルト孔（１２６）を貫通し、前記ビームボルト孔（１２６）に螺合するビームボルト（９４）と、係止デバイス（１１０）と、を備え、前記係止デバイス（１１０）が、
係止スリーブ（１１２）であり、前記係止スリーブ（１１２）の第１の端部（１１８）から第２の端部（１２２）まで延びる穴（１２０）を含む係止スリーブ（１１２）と、
前記係止スリーブ（１１２）の外縁の周りに複数の係止スリーブラチェット歯（１４４）を有する下部分（１１６）と、を含み、ロックプレート（４００、８００、９００）が、
前記係止スリーブ（１１２）を受け入れるように寸法決めされたビームボルト孔（１２６）と、
一体型ビームスプリングアーム（１２８）であり、
前記スプリングアーム（１２８）のうち前記ビームボルト孔（１２６）の中心に面する側部（１３８）の少なくとも一部分から延びる複数のスプリングアームラチェット歯（１３６）であり、前記係止スリーブラチェット歯（１４４）と噛合するように寸法決めされる複数のスプリングアームラチェット歯（１３６）と、
前記スプリングアーム（１２８）の側部の少なくとも一部分から前記ビームボルト孔（１２６）の中心に向けて延びる捕捉特徴部（１５０、８５０、９５０）と、
を含む一体型ビームスプリングアーム（１２８）と、
を含み、
前記一体型ビームスプリングアーム（１２８）が、ｉ）前記係止スリーブ（１１２）が前記ビームボルト孔（１２６）内にあり、前記捕捉特徴部（１５０、８５０、９５０）の少なくとも一部分が前記係止スリーブ（１１２）の前記下部分（１１６）の上面（１５２）と垂直に重なる係合配置と、ｉｉ）前記係止スリーブ（１１２）が前記ビームボルト孔（１２６）内にあり、前記捕捉特徴部（１５０、８５０、９５０）が前記上面（１５２）と垂直に重ならない離脱配置との両方を前記スプリングアーム（１２８）が有するような構造とされる、ジェットポンプアセンブリ（４４）。
【請求項８】
前記スプリングアーム（１２８）の前記係合配置が、前記スプリングアームラチェット歯（１３６）が前記係止スリーブラチェット歯（１４４）と係合される配置であり、前記スプリングアーム（１２８）の前記離脱配置が、前記スプリングアームラチェット歯（１３６）が前記係止スリーブラチェット歯（１４４）と係合されない配置である、請求項７に記載のジェットポンプアセンブリ（４４）。
【請求項９】
前記捕捉特徴部（９５０）の少なくとも一部分が、前記スプリングアーム（１２８）上の前記スプリングアームラチェット歯（１３６）の位置と、前記スプリングアーム（１２８）のうち前記スプリングアーム（１２８）が前記ロックプレート（９００）の残り部分に接合する端部とは反対の前記スプリングアーム（１２８）の先端部（９５５）との間で、前記スプリングアーム（１２８）上の配置に位置する、請求項７に記載のジェットポンプアセンブリ（４４）。
【発明の詳細な説明】
【技術分野】
【０００１】
本開示は、原子炉圧力容器内でジェットポンプアセンブリの所望の配置を維持するためのデバイスに関する。
【背景技術】
【０００２】
沸騰水型炉（ＢＷＲ）の炉圧力容器（ＲＰＶ）は、典型的に、概ね円筒状であり、例えば、下端ヘッドおよび取り外し可能な上端ヘッドにより、両端で閉鎖される。上端ガイドは、典型的にＲＰＶ内でコアプレートの上方に離間する。コアシュラウドまたはシュラウドは、典型的に、コアを取り囲み、シュラウド支持構造により支持される。特に、シュラウドは、概ね円筒状であり、コアプレートと上端ガイドの両方を取り囲む。円筒状の炉圧力容器と円筒状に形作られたシュラウドとの間には、空間または環状部がある。
【０００３】
ＢＷＲにおいて、シュラウド環状部内に配置された中空管状ジェットポンプは、要求される炉コア水流を提供する。ジェットポンプのうち入口ミキサとして知られる上部分は、横方向に配置され、重力作用楔によりリストレイナブラケット内で２つの対向する剛性接触部に対して支持される。入口ミキサは、予荷重を加えられたビームにより上端部で所定の場所にそれぞれ保持される。アセンブリを固定するために、ジェットポンプビームは、油圧テンショナによりジェットポンプビームボルトを据え付けることより高い予荷重を加えられた状態で組み立てられる。
【先行技術文献】
【特許文献】
【０００４】
【特許文献１】米国特許出願公開第２０１２／３０７９５８号明細書
【発明の概要】
【０００５】
入口ミキサにおける大きな静的および動的ジェットポンプ流動荷重は、不十分なビーム予荷重等の一部の条件下で、ジェットポンプ内に揺動運動および有害な振動励起を生じさせる。結果的に増加した振動レベルと、配管および支持体における対応する振動荷重とは、ジェットポンプ構成要素を摩耗および疲労により劣化させる。構成要素の極度の劣化は、プラント停止を要求する場合がある。要求される予荷重を確実に維持するために、ビームボルトは、緊張が完了した後の緩みを防止するために確実に係止される。ビームボルトを緊張し、緊張後に固定するためのデバイスについては、米国特許第６，４３４，２０８号および第７，７６４，７６０号に論じられており、それぞれの内容の全てが参照により本明細書に組み込まれる。
【０００６】
少なくとも１つの実施例によれば、ジェットポンプビームの係止デバイス用のロックプレートであって、係止デバイスが係止スリーブを含み、係止スリーブが、前記係止スリーブの第１の端部から第２の端部まで延びる穴と、係止スリーブの外縁の周りに複数の係止スリーブラチェット歯を有する下部分とを含む、ロックプレートは、係止スリーブを受け入れるように寸法決めされたビームボルト孔と、一体型ビームスプリングアームであり、スプリングアームのうちビームボルト孔の中心に面する側部の少なくとも一部分から延びる複数のスプリングアームラチェット歯であり、係止スリーブラチェット歯と噛合するように寸法決めされる複数のスプリングアームラチェット歯と、スプリングアームの側部の少なくとも一部分からビームボルト孔の中心に向けて延びる捕捉特徴部（ｃａｐｔｕｒｅ  ｆｅａｔｕｒｅ）と、を含む一体型ビームスプリングアームと、を含み得、一体型ビームスプリングアームは、ｉ）係止スリーブがビームボルト孔内にあり、捕捉特徴部の少なくとも一部分が係止スリーブの下部分の上面と垂直に重なる係合配置と、ｉｉ）係止スリーブがビームボルト孔内にあり、捕捉特徴部が上面と垂直に重ならない離脱配置との両方をスプリングアームが有するような構造とされる。
【０００７】
スプリングアームの係合配置は、スプリングアームラチェット歯が係止スリーブラチェット歯と係合される配置であり得、スプリングアームの離脱配置は、スプリングアームラチェット歯が係止スリーブラチェット歯と係合されない配置であり得る。
【０００８】
捕捉特徴部の少なくとも一部分は、スプリングアーム上のスプリングアームラチェット歯の位置と、スプリングアームのうちスプリングアームがロックプレートの残り部分に接合する端部とは反対のスプリングアームの先端部との間で、スプリングアーム上の配置に位置し得る。
【０００９】
少なくとも１つの実施例によれば、ジェットポンプビーム用の係止デバイスであって、ジェットポンプビームが、ヘッドを有するビームボルトを含む、係止デバイスは、係止スリーブであり、前記係止スリーブの第１の端部から第２の端部まで延びる穴を含む係止スリーブと、係止スリーブの外縁の周りに複数の係止スリーブラチェット歯を有する下部分と、を含み得、ロックプレートは、係止スリーブを受け入れるように寸法決めされたビームボルト孔と、一体型ビームスプリングアームであり、スプリングアームのうちビームボルト孔の中心に面する側部の少なくとも一部分から延びる複数のスプリングアームラチェット歯であり、係止スリーブラチェット歯と噛合するように寸法決めされる複数のスプリングアームラチェット歯と、スプリングアームの側部の少なくとも一部分からビームボルト孔の中心に向けて延びる捕捉特徴部と、を含む一体型ビームスプリングアームと、を含み得、一体型ビームスプリングアームは、ｉ）係止スリーブがビームボルト孔内にあり、捕捉特徴部の少なくとも一部分が係止スリーブの下部分の上面と垂直に重なる係合配置と、ｉｉ）係止スリーブがビームボルト孔内にあり、捕捉特徴部が上面と垂直に重ならない離脱配置との両方をスプリングアームが有するような構造とされる。
【００１０】
少なくとも１つの実施例によれば、ジェットポンプアセンブリは、ライザ管と、少なくとも１つの入口ミキサと、前記少なくとも１つの入口ミキサに結合される少なくとも１つのディフューザと、少なくとも２つの支持アームを含み、ライザ管を少なくとも１つの入口ミキサに結合するトランジションアセンブリと、前記少なくとも２つの支持アームの２つの間に延び、ネジ切りされたボルト孔を含むジェットポンプビームと、ビームボルト孔を貫通し、ビームボルト孔に螺合するビームボルトと、係止デバイスと、を含み得、係止デバイスは、係止スリーブであり、前記係止スリーブの第１の端部から第２の端部まで延びる穴を含む係止スリーブと、係止スリーブの外縁の周りに複数の係止スリーブラチェット歯を有する下部分と、を備え、ロックプレートは、係止スリーブを受け入れるように寸法決めされたビームボルト孔と、一体型ビームスプリングアームであり、スプリングアームのうちビームボルト孔の中心に面する側部の少なくとも一部分から延びる複数のスプリングアームラチェット歯であり、係止スリーブラチェット歯と噛合するように寸法決めされる複数のスプリングアームラチェット歯と、スプリングアームの側部の少なくとも一部分からビームボルト孔の中心に向けて延びる捕捉特徴部と、を含む一体型ビームスプリングアームと、を含み得、一体型ビームスプリングアームは、ｉ）係止スリーブがビームボルト孔内にあり、捕捉特徴部の少なくとも一部分が係止スリーブの下部分の上面と垂直に重なる係合配置と、ｉｉ）係止スリーブがビームボルト孔内にあり、捕捉特徴部が上面と垂直に重ならない離脱配置との両方をスプリングアームが有するような構造とされる。
【００１１】
本明細書における非限定的な実施形態の各種の特徴および利点は、添付図面と併せて詳細な説明を検討すると、より明らかとなり得る。添付図面は、単に例示のために提供されており、特許請求の範囲を限定するように解釈されるべきではない。添付図面は、明記されていない限り、縮尺通りに描かれているとは考慮されない。明確性のために、図面の各種の寸法は、誇張されている場合がある。
【図面の簡単な説明】
【００１２】
【図１】少なくとも１つの実施例による沸騰水型原子炉圧力容器を部分的に破断して示す断面図である。
【図２】少なくとも１つの実施例によるジェットポンプアセンブリの斜視図である。
【図３】少なくとも１つの実施例によるジェットポンプビームの側面図である。
【図４】ロックプレートの第１の例の上面図である。
【図５】係止スリーブと第１のロックプレートが離脱した状態のジェットポンプビームの上面図である。
【図６】係止スリーブと第１のロックプレートが係合した状態のジェットポンプビームの上面図である。
【図７】係止スリーブおよびロックプレートの第１の例の横断面図である。
【図８】ロックプレートの第２の例の斜視図である。
【図９Ａ】少なくとも１つの実施例による第３のロックプレートの図である。
【図９Ｂ】少なくとも１つの実施例による第３のロックプレートの図である。
【図９Ｃ】少なくとも１つの実施例による第３のロックプレートの図である。
【図９Ｄ】少なくとも１つの実施例による第３のロックプレートの図である。
【図９Ｅ】少なくとも１つの実施例による第３のロックプレートの図である。
【図９Ｆ】少なくとも１つの実施例による第３のロックプレートの図である。
【図９Ｇ】少なくとも１つの実施例による第３のロックプレートの図である。
【図９Ｈ】少なくとも１つの実施例による第３のロックプレートの図である。
【図９Ｉ】少なくとも１つの実施例による第３のロックプレートの図である。
【図１０】少なくとも１つの実施例による第３のロックプレートを含む係止アセンブリの一部分を例示する図である。
【図１１】少なくとも１つの実施例による係止スリーブおよび第３のロックプレートの横断面図である。
【発明を実施するための形態】
【００１３】
要素もしくは層が別の要素もしくは層「の上にある」、「に連結される」、「に結合される」または「を覆う」と称されるときには、これが他の要素もしくは層に対して直接的に上にあってもよく、連結されてもよく、結合されてもよく、または他の要素もしくは層を覆ってもよく、あるいは、介在する要素もしくは層が存在してもよいことが理解されるべきである。対照的に、要素が別の要素もしくは層「の直接上にある」、「に直接連結される」または「に直接結合される」と称されるときには、介在する要素もしくは層が存在しない。同様の番号は、明細書を通して同様の要素を参照している。本明細書において、用語「および／または」は、列挙される関連項目のうちの１つ以上の任意の組合せおよび全ての組合せを含む。
【００１４】
各種の要素、構成要素、領域、層および／または区分を記述するために、第１、第２、第３等の用語が本明細書中に使用される場合があるが、これらの要素、構成要素、領域、層および／または区分は、これらの用語により限定されるべきでないことが理解されるべきである。これらの用語は、ある要素、構成要素、領域、層または区分を別の領域、層または区分から区別するためにのみ使用されている。よって、以下で論じられる第１の要素、構成要素、領域、層または区分を、実施例の教示から逸脱せずに、第２の要素、構成要素、領域、層または区分と名付けることができる。
【００１５】
図に例示されるような、ある要素または特徴と別の要素または特徴との関係を説明するための記述を容易にするために、空間的な相対用語（例えば、「下側に」、「下方に」、「下に」、「上方に」、「上に」等）が本明細書において使用され得る。空間的な相対用語は、図に描写される配向に加えて、使用または動作中のデバイスの異なる配向を包含することを意図していると理解されるべきである。例えば、図中のデバイスがひっくり返されると、他の要素または特徴の「下方に」または「下側に」記述される要素は、他の要素または特徴の「上方に」配向される。よって、用語「下方に」は、上方と下方の両方の配向を包含し得る。デバイスは、別様に（９０°回転され、または他の配向で）配向され得、本明細書に使用される空間的な相対記述子は、適宜に解釈される。
【００１６】
本明細書に使用される術語は、各種の実施形態の説明のみを目的としており、実施例の限定を意図していない。本明細書において、単数形「１つの（ａ）」、「１つの（ａｎ）」および「その（ｔｈｅ）」は、文脈が明らかに別様に示さない限り、複数形も含むことを意図している。用語「含む（ｉｎｃｌｕｄｅｓ）」、「含む（ｉｎｃｌｕｄｉｎｇ）」、「備える（ｃｏｍｐｒｉｓｅｓ）」および／または「備える（ｃｏｍｐｒｉｓｉｎｇ）」は、この明細書で使用されるときに、言及される特徴、整数、工程、動作、要素および／または構成要素の存在を特定しているが、１つ以上の他の特徴、整数、工程、動作、要素、構成要素および／またはそれらの群の存在または追加を排除しないことがさらに理解されるであろう。
【００１７】
実施例は、実施例の理想化された実施形態（および中間構造）の概略的な例示である横断面の例示を参照して、本明細書において説明される。それ自体、例えば、製造技術および／または許容誤差等の結果として例示の形状からの変形が期待される。よって、実施例は、例えば製造により生じる形状の偏差を含み、本明細書において例示される領域の形状を限定するものとみなされるべきではない。
【００１８】
別様に規定されない限り、本明細書において使用される全ての用語（技術および科学用語を含む）は、実施例が属する当技術分野の当業者に良く理解されるのと同じ意味を有する。用語は、良く使用される辞書に規定されている用語を含めて、関連技術の文脈における用語の意味と一致する意味を有するとして解釈されるべきであり、本明細書に明示的に規定されない限り、理想的または過度に形式的な意義に解釈されないことがさらに理解されるであろう。
【００１９】
ジェットポンプアセンブリ
図１は、本発明の実施例による沸騰水型原子炉圧力容器を部分的に破断して示す断面図である。図１に示されるように、沸騰水型原子炉圧力容器（ＲＰＶ）１０が開示されている。ＲＰＶ１０は、概ね円筒状であり得、下端ヘッド１２により一端で閉鎖され、取り外し可能な上端ヘッド１４によりその他端で閉鎖される。側壁１６は、下端ヘッド１２から上端ヘッド１４まで延びる。側壁１６は、上端フランジ１８を含む。上端ヘッド１４は、上端フランジ１８に取り付けられ得る。円筒状に形作られたコアシュラウド２０は、炉コア２２を取り囲む。シュラウド２０は、シュラウド支持体２４により一端で支持され得、取り外し可能なシュラウドヘッド２６を他端に含み得る。シュラウド２０と側壁１６の間には、環状部２８が形成される。シュラウド支持体２４とＲＰＶ側壁１６の間には、リング状であり得るポンプデッキ３０が延びる。ポンプデッキ３０は、複数の円状孔３２を含み、各孔は、ジェットポンプ３４を収容する。ジェットポンプ３４は、コアシュラウド２０の周りに周方向に分布する。２つのジェットポンプ３４には、入口ライザ管３６がトランジションアセンブリ３８により結合される。各ジェットポンプ３４は、入口ミキサ４０およびディフューザ４２を含み得る。入口ライザ管３６および２つの結合されたジェットポンプ３４は、ジェットポンプアセンブリ４４を形成し得る。
【００２０】
図２は、図１に例示された本発明の実施例によるジェットポンプアセンブリ４４の一部分の拡大斜視図である。図１および図２に示されるように、ジェットポンプアセンブリ４４は、トランジションアセンブリ３８により一対のジェットポンプ３４に結合されたライザ管３６を含み得る。図１および図２を参照すると、各ジェットポンプ３４は、ジェットポンプノズル６４、吸入口６６、入口ミキサ４０およびディフューザ４２（図１に示される）を含む。ジェットポンプノズル６４は、入口ミキサ４０の第１の端部に位置し得る吸入口６６に配置され得る。トランジションアセンブリ３８は、ベース部品７０および２つの曲管７１を含み得る。各曲管７１は、ジェットポンプノズル６４に結合される。係止アーム７２、７４、７６および７８は、トランジションアセンブリベース部品７０から延びる。係止アーム７２、７４、７６および７８の間には、ジェットポンプビーム８６が連結される。一実施例において、支持アーム７２および７６の間には、ジェットポンプビーム８６が係合し、支持アーム７４および７８の間には、実質的に同一のジェットポンプビーム８６が係合する。ジェットポンプビーム８６は、ビームボルト９４の動き（例えば回転運動）を防止し、および／または低減させるために、係止アーム７２、７４、７６および７８の切欠き９２に係合する舌状部材８１を端部に含む。ビーム８６は、舌状部材８１を切欠き９２に滑り込ませることにより係止アーム７２、７４、７６および７８に係合し得る。
【００２１】
図３を参照すると、ジェットポンプビーム８６は、中央隆起部分８８を含む。ジェットポンプビーム８６の端部は、係止アーム７２、７４、７６および７８に位置する切欠き９２内に支持される。ビームボルト９４は、多面ヘッド９６と、ネジ切部分９８と、曲管７１の皿穴１０５に座したディスク１０４に接触する下部接触面１０２を含む木口部１００とを含み得る。ビームボルト９４は、ジェットポンプビーム８６のネジ切ボルト孔１０６に螺合する。
【００２２】
係止アセンブリ１１０は、ビームボルト９４の緩みを防止する。係止アセンブリ１１０は、係止スリーブ１１２およびロックプレート１１４を含み得る。係止スリーブ１１２は、第１の端部１１８のベース部分１１６と、第１の端部１１８から第２の端部１２２まで延びる穴１２０とを含み得る。穴１２０は、ビームボルトヘッド９６を嵌めて受け入れるように寸法決めされ形作られ得る。ロックプレート１１４の一構造例については、以下でより詳しく論じられる。
【００２３】
ロックプレート
図４は、第１のロックプレート４００の上面図であり、図５は、係止スリーブ１１２と第１のロックプレート４００が離脱した状態のジェットポンプビーム８６の上面図であり、図６は、係止スリーブ１１２と第１のロックプレート４００が係合した状態のジェットポンプビーム８６の上面図である。第１のロックプレート４００は、図３を参照して上で論じられたロックプレート１１４の一構造例である。
【００２４】
図４、図５および図６を参照すると、第１のロックプレート４００は、ビームボルト孔１２６、一体型ビームスプリングアーム１２８および第１の捕捉特徴部１５０を含む。第１の捕捉特徴部１５０は、リップである。ビームボルト孔１２６は、係止スリーブ１１２を受け入れるように寸法決めされる。第１の捕捉特徴部１５０は、図７を参照して以下でより詳しく論じられるように、係止スリーブ１１２の上部分を係合することにより係止スリーブ１１２を捕捉するように構成される。スプリングアーム１２８は、ビームボルト孔１２６に隣接して第１のロックプレート４００から延びる開始部分１３０と、開始部分１３０から延び、ビームボルト孔１２６の外縁の周りに延びる中間部分１３２と、中間部分１３２から延びる第１の端部分１３４とを含む。第１の端部分１３４は、第１の端部分１３４のうちビームボルト孔１２６の中央に面する側部１３８から延びる複数のラチェット歯１３６を含む。
【００２５】
スプリングアーム１２８の第１の端部分１３４は、ラチェット歯１３６に隣接して位置する切欠き１４０も含む。切欠き１４０は、第１のロックプレート４００からビームボルト孔１２６内に延びる戻止め１４２を受け入れるように寸法決めされる。係止スリーブ１１２は、ベース部分１１６の周りに周方向に位置し、かつスプリングアーム１２８のラチェット歯１３６と係合および噛合するように寸法決めされた複数のラチェット歯１４４を含む。第１の端部分１３４からはタブ１４６が延びる。タブ１４６は、単純な解放カムツール、および第１のロックプレート４００のカムツール孔１４８と併せて、スプリングアーム１２８を係合配置または離脱配置に撓めるように使用される。
【００２６】
スプリングアーム１２８は、戻止め１４２が切欠き１４０内に配置され、スプリングアームラチェット歯１３６が係止スリーブラチェット歯１４４と係合される第１の配置または係合配置（図６に示される）と、スプリングアーム１２８の第１の端部分１３４の側部１３８が戻止め１４２に面して接触し、スプリングアームラチェット歯１３６が係止スリーブラチェット歯１４４から離脱される第２の配置または離脱配置（図５に示される）との間を移動できる。スプリングアーム１２８は、据付けによりスプリングアーム１２８が撓められ、径方向の予荷重力が生じるように、第１の配置にある端部分が径方向内周側に変位された状態で最初に加工される。また、別の実施形態において、スプリングアーム１２８は、利用可能な予荷重変位が、スプリングアーム１２８に誘発された所与の曲げ応力に対して最大化されるように、開始部分１３０で最大の厚さが先細るように加工される。係止アセンブリ１１０の多少複雑な幾何形状の加工は、精密制御ワイヤ放電加工の利用可能性により実際的となる。係止アセンブリ１１０に使用される任意の適した材料は、例えばＮｉ−Ｃｒ−Ｆｅ合金Ｘ−７５０であることができる。Ｘ−７５０合金は、係止アセンブリ１１０の最小のサイズおよび重量を許容する高い強度を提供し、沸騰水型原子炉の環境における耐腐食性を提供する。
【００２７】
図７は、図６に例示されるＤ−Ｄ軸線に関する係止スリーブ１１２および第１のロックプレート４００の横断面図である。図７も参照すると、第１のロックプレート４００の第１の捕捉特徴部１５０は、ビームボルト孔１２６の周りに少なくとも部分的に延びる。第１の捕捉特徴部１５０は、係止スリーブベース部分１１６の上面１５２に係合するように寸法決めされる。さらに、第１のロックプレート４００は、ジェットポンプビームガイドピン１５６を受け入れるように寸法決めされた少なくとも１つのガイドピン孔１５４と、取付けネジ１６０を受け入れるように寸法決めされた少なくとも１つのネジ孔１５８とを含む。
【００２８】
係止アセンブリ１１０は、ビームボルト９４を所定の場所に確実に係止し、嵌合する多面ビームボルトヘッド９６を越えて係止スリーブ１１２を滑り込ませ、第１のロックプレート４００をビーム８６に装着することにより容易に据え付けられる。特に、ガイドピン孔１５４は、ガイドピン１５６を越えて配置され、取付けネジ１６０は、ネジ孔１５８に挿入され締められる。取付けネジ１６０が緩まないことを確実にするために、ネジ１６０を第１のロックプレート４００にタック溶接したり、ロックピンの挿入のために穿孔したりすることができる。第１の捕捉特徴部１５０は、係止スリーブ１１２を捕捉し、スプリングアーム１２８の予荷重力は、係止スリーブ１１２を振動に対して確実に保持する。噛合するラチェット歯１３６および１４４の形状は、テンショナによる所定のトルクまでのビームボルト９４の締付けを許容するが、その後の緩める方向の回転は、噛合されたラチェット歯１３６および１４４により１つ未満の歯溝に限定される。近接した歯溝の使用は、トルキング後のボルト配置の対応する変動の可能性を最小化する。切欠き１４０と戻止め１４２の間の傾斜した接触面は、噛合するラチェット歯１３６および１４４を、緩める回転に対してよりきつく楔止めし、自己付勢されたロックを提供する。
【００２９】
ビームボルト９４を緩めるために、スプリングアームラチェット歯１３６が係止スリーブラチェット歯１４４から離脱されるように、戻止め１４２がスプリングアーム１２８の第１の端部分１３４の側部１３８と接触する第２の配置にスプリングアーム１２８を撓ませるための、スクリュードライバ状の端部を有する不図示の簡単な解放カムツールが使用される。
【００３０】
図８は、第２のロックプレート８００の斜視図である。第２のロックプレート８００は、図３を参照して上で論じられたロックプレート１１４の一構造例である。
【００３１】
第２のロックプレート８００は、図４〜図７に例示された第１のロックプレート４００に関して上で論じられたのと同様に動作し得る。第２のロックプレート８００のスプリングアーム１２８は、開始部分１３０、中間部分１３２および第２の端部分８３４を含む。図８に例示される第２の端部分８３４は、スプリングアーム１２８とスプリングアーム１２８の配置を変化させるのに使用されるカムツールとの間の接触を容易にするためのツール孔８３９を含み得、スプリングアーム１２８の配置は、スプリングアームラチェット歯１３６が係止スリーブラチェット歯１４４と係合される係合配置と、スプリングアームラチェット歯１３６が係止スリーブラチェット歯１４４から離脱される離脱配置との間、およびその逆で変化する。
【００３２】
第１のロックプレート４００と同様に、第２のロックプレート８００は、係止スリーブベース部分１１６の上面１５２に係合するように寸法決めされた捕捉特徴部を含む。例えば、第２のロックプレート８００は、第２の捕捉特徴部８５０を含む。第２の捕捉特徴部８５０は、第２および第３のリップ８５０Ａおよび８５０Ｂを含む。第１のロックプレート４００の第１の捕捉特徴部１５０に関して図７に例示されたのと同じように、第２の捕捉特徴部８５０の第２および第３のリップ８５０Ａおよび８５０Ｂのそれぞれは、係止スリーブベース部分１１６の上面１５２に係合するように寸法決めされる。
【００３３】
これにより、第１のロックプレート４００または第２のロックプレート８００のうちのいずれかの構造を有するロックプレート１１４は、係止アセンブリ１１０の交換または実質的な改変の必要性を著しく低減させながら、ビームボルト９４が繰り返し弛緩および緊張されることを可能にする。しかし、時折、ビームボルト９４の弛緩中に、係止スリーブ１１２は、ロックプレート１１４に対して垂直に動く場合がある。図７を参照して上で論じられたように、第１のロックプレート４００のリップ１５０または第２のロックプレート８００のリップ８５０Ａおよび８５０Ｂのような構造とされた捕捉特徴部は、係止スリーブ１１２のベース部分１１６と重なる。係止スリーブ１１２が第１のロックプレート４００に対して持ち上がるケースにおいて、ベース部分１１６に含まれる係止スリーブラチェット歯１４４は、第１のロックプレート４００の捕捉特徴部である第１の捕捉特徴部１５０に接触し得る。同様に、係止スリーブ１１２が第２のロックプレート８００に対して持ち上がるケースにおいて、係止スリーブラチェット歯１４４は、第２のロックプレート８００の捕捉特徴部８５０である第２および第３のリップ８５０Ａおよび８５０Ｂに接触し得る。
【００３４】
第１の捕捉特徴部１５０、あるいは第２および第３のリップ８５０Ａおよび８５０Ｂのうちのいずれかとの接触は、係止スリーブラチェット歯１４４の少なくとも一部分を切断させ得さもなければ損傷させ得る。この損傷は、ジェットポンプアセンブリ４４の適切な動作を確実にするために必要とされる、係止アセンブリ１１０の適切な動作を確実にするために、係止スリーブ１１２の交換を要求し得る。係止スリーブ１１２の交換は、経費および時間を要し得る。これにより、捕捉特徴部と係止スリーブラチェット歯１４４の間の接触を防止するロックプレートを使用することにより係止スリーブラチェット歯１４４を損傷させる機会を低減させることが望ましい場合がある。実施例によるロックプレートについては、図９Ａ〜図１１を参照して以下で論じられる。
【００３５】
図９Ａ〜図９Ｉは、少なくとも一つの実施例による第３のロックプレート９００の各種の図を例示している。第３のロックプレート９００は、図３に例示されたロックプレート１１４の一構造例である。図９Ａおよび図９Ｆ〜図９Ｉは、第３のロックプレート９００を各種の斜視図により例示している。図９Ｂは、第３のロックプレート９００の上面図を例示している。図９Ｃは、第３のロックプレート９００の底面図を例示している。図９Ｄは、図９Ｂに例示される上面図を図９Ｂに例示されるＣ−Ｃ軸線の周りに９０°回転した側面図を例示している。図９Ｅは、図９Ｂに例示される上面図を図９Ｂに例示されるＢ−Ｂ軸線の周りに９０°回転した側面図を例示している。図９Ａ〜図９Ｉにおいて、第３のロックプレート９００は、係合配置で図示されている。図１０は、ロックプレート１１４としての、少なくとも１つの実施例による第３のロックプレート９００を含む係止アセンブリ１１０の一部分を例示している。図１０において、第３のロックプレート９００は、離脱配置で例示されている。図１１は、少なくとも１つの実施例による、係止スリーブ１１２と第３のロックプレート９００のスプリングアーム１２８との横断面図である。
【００３６】
以下で論じられる例外を伴って、第３のロックプレート９００は、図４〜図７に例示された第１のロックプレート４００に関して上で論じられたのと同じ、係止スリーブ１１２との相互作用、構造および動作を有し得る。
【００３７】
第３のロックプレート９００のスプリングアーム１２８は、開始部分１３０、中間部分１３２および第３の端部分９３４を含む。少なくとも１つの実施例によれば、第３の端部分９３４は、スプリングアーム１２８とスプリングアーム１２８の配置を係合配置から離脱配置まで、またその逆に変化させるのに使用されるカムツールとの間の接触を容易にするためのツール孔８３９を含み得る。任意選択的に、少なくとも１つの実施例によれば、ロックプレート９００は、切欠き１４０またはカムツール孔１４８を含まなくてもよい。
【００３８】
さらに、少なくとも１つの実施例によれば、第１の捕捉特徴部１５０に代えて、第３のロックプレート９００は、第３の捕捉特徴部９５０を含み得る。第３の捕捉特徴部９５０は、例えば、スプリングアーム１２８の端部分９３４から内向きに第３のロックプレート９００の中心に向けて延びるリップまたは突起であり得る。少なくとも１つの実施例によれば、第３の捕捉特徴部９５０の少なくとも一部分は、スプリングアームラチェット歯１３６とスプリングアーム１２８の最外側領域９５５との間にあり得、最外側領域９５５は、スプリングアーム１２８が第３のロックプレート９００の残り部分に接合する開始部分１３０の点に対して、スプリングアーム１２８の最先端部分である。
【００３９】
図９Ｄに例示されるように、少なくとも１つの実施例によれば、第３の捕捉特徴部９５０の上面は、第３のロックプレート９００のベース９６０の上方の高さＤ３に配置され得る。さらに、スプリングアーム１２８の残り部分（例えば、スプリングアーム１２８のうち第３の捕捉特徴部９５０を含まない部分）は、第３のロックプレート９００のベース９６０の上方の高さＤ２に上面を有し得る。図９Ｄに例示されるように、高さＤ２は、第３の捕捉特徴部９５０の上面の高さＤ３および第３の捕捉特徴部９５０の下面よりも低くてよい。さらに、第３のロックプレート９００の残り部分（例えば、第３のロックプレート９００のうちスプリングアーム１２８を含まない部分）は、第３のロックプレート９００のベース９６０の上方の高さＤ１に上面を有し得る。少なくとも１つの実施例によれば、Ｄ３＞Ｄ２＞Ｄ１である。これにより、図９Ｄに例示されるように、第３の捕捉特徴部９５０は、スプリングアーム１２８の残り部分の上面と、第３のロックプレート９００の残り部分の上面との両方の上方に配置され得る。
【００４０】
少なくとも１つの実施例によれば、第３の捕捉特徴部９５０は、係止スリーブ１１２がビームボルト孔１２６内にあり、スプリングアーム１２８が係合配置にあるときに、第３の捕捉特徴部９５０の少なくとも一部分が、係止スリーブ１１２のベース部分１１６の少なくとも一部分に垂直に重なるような構造とされ、係止スリーブ１１２がビームボルト孔１２６内にあり、スプリングアーム１２８が離脱配置にあるときに、第３の捕捉特徴部９５０と係止スリーブ１１２のベース部分１１６との間が垂直に重ならないような構造とされる。スプリングアーム１２８の係合配置は、例えば、スプリングアーム１２８のスプリングアームラチェット歯１３６が係止スリーブ１１２の係止スリーブラチェット歯１４４と係合または噛合される配置を意味する。スプリングアーム１２８の離脱配置は、例えば、ラチェット歯１３６が係止スリーブ１１２の係止スリーブラチェット歯１４４と係合または噛合されないようにスプリングアーム１２８が撓められる配置を意味する。よって、少なくとも１つの実施例によれば、第３の捕捉特徴部９５０は、以下の条件、１）第３のロックプレート９００のスプリングアーム１２８が係合配置にあるときに、第１のロックプレート４００の第１の捕捉特徴部１５０に関して図７に例示されたのと同じように、第３の捕捉特徴部９５０が係止スリーブベース部分１１６の上面１５２に係合すること、および、２）第３のロックプレート９００のスプリングアーム１２８が離脱配置にあるときに、図１０および図１１に示されるように、第３の捕捉特徴部９５０が係止スリーブベース部分１１６の上面１５２に係合せず、または垂直に重ならず、水平間隙９７０が上面１５２と捕捉特徴部９５０の間に存在すること、を満たすように寸法決めされ、スプリングアーム１２８上に配置される。
【００４１】
図９Ａ〜図１１に例示される、第３の捕捉特徴部９５０のスプリングアーム１２８上の配置および寸法決めは、例としてのみ提供される。少なくとも１つの実施例によれば、捕捉特徴部９５０は、スプリングアーム１２８上の配置と寸法決めとの任意の組合せを有し得、このことは、係止スリーブ１１２が第３のロックプレート９００のビームボルト孔１２６内にある場合には、スプリングアーム１２８が係合配置にあるときに第３の捕捉特徴部９５０が係止スリーブ１１２のベース部分１１６に重なり、スプリングアーム１２８が離脱配置にあるときに捕捉特徴部９５０が係止スリーブ１１２のベース部分１１６に重ならないように、捕捉特徴部９５０がスプリングアーム１２８の端部分９３６と共に動くことを可能にする。
【００４２】
これにより、第３のロックプレート９００を使用することによって、スプリングアーム１２８が離脱配置に撓められる弛緩動作中に、図１０および図１１に例示されるように、第３の捕捉特徴部９５０と係止スリーブ１１２のベース部分１１６との間に垂直の重なりが存在しない。結果として、弛緩動作中に係止スリーブ１１２が垂直にシフトする事象において、第３のロックプレート９００が、スリーブラチェット歯１４４または係止スリーブ１１２のベース部分１１６の任意の他の部分を切断させ、さもなければ損傷させる機会を著しく低減させ得る。これにより、実施例による第３のロックプレート９００を使用することによって、損傷した係止スリーブ１１２の修理または交換に伴う時間および出費の無駄を回避し得る。
【００４３】
多数の実施例が本明細書に開示されているが、他の変形例も可能であり得ることが理解されるべきである。そのような変形例は、本開示の趣旨および範囲から逸脱するものとみなされず、当業者にとって自明であるような全ての修正は、以下の特許請求の範囲内に含まれることが意図される。
【符号の説明】
【００４４】
１０  沸騰水型原子炉圧力容器（ＲＰＶ）
１２  下端ヘッド
１４  上端ヘッド
１６  側壁
１８  上端フランジ
２０  コアシュラウド、シュラウド
２２  炉コア
２４  シュラウド支持体
２６  シュラウドヘッド
２８  環状部
３０  ポンプデッキ
３２  円状孔
３４  ジェットポンプ
３６  入口ライザ管、ライザ管
３８  トランジションアセンブリ
４０  入口ミキサ
４２  ディフューザ
４４  ジェットポンプアセンブリ
６４  ジェットポンプノズル
６６  吸入口
７０  ベース部品
７１  曲管
７２、７４、７６、７８  係止アーム、支持アーム
８１  舌状部材
８６  ジェットポンプビーム、ビーム
８８  中央隆起部分
９２  切欠き
９４  ビームボルト
９６  ビームボルトヘッド、多面ヘッド
９８  ネジ切部分
１００  木口部
１０２  下部接触面
１０４  ディスク
１０５  皿穴
１０６  ネジ切ボルト孔
１１０  係止アセンブリ
１１２  係止スリーブ
１１４  ロックプレート
１１６  ベース部分
１１８  第１の端部
１２０  穴
１２２  第２の端部
１２６  ビームボルト孔
１２８  一体型ビームスプリングアーム、スプリングアーム
１３０  開始部分
１３２  中間部分
１３４  第１の端部分
１３６  スプリングアームラチェット歯、ラチェット歯
１３８  側部
１４０  切欠き
１４２  戻止め
１４４  係止スリーブラチェット歯、ラチェット歯
１４６  タブ
１４８  カムツール孔
１５０  第１の捕捉特徴部、リップ
１５２  上面
１５４  ガイドピン孔
１５６  ジェットポンプビームガイドピン、ガイドピン
１５８  ネジ孔
１６０  取付けネジ、ネジ
４００  第１のロックプレート
８００  第２のロックプレート
８３４  第２の端部分
８３９  ツール孔
８５０  第２の捕捉特徴部
８５０Ａ  第２のリップ
８５０Ｂ  第３のリップ
９００  第３のロックプレート
９３４  第３の端部分
９３６  スプリングアーム１２８の端部分
９５０  第３の捕捉特徴部
９５５  最外側領域
９６０  ベース
９７０  水平間隙
Ｄ１、Ｄ２、Ｄ３  高さ
【図１】
0006307094.tif 000002
【図２】
0006307094.tif 000003
【図３】
0006307094.tif 000004
【図４】
0006307094.tif 000005
【図５】
0006307094.tif 000006
【図６】
0006307094.tif 000007
【図７】
0006307094.tif 000008
【図８】
0006307094.tif 000009
【図９Ａ】
0006307094.tif 000010
【図９Ｂ】
0006307094.tif 000011
【図９Ｃ】
0006307094.tif 000012
【図９Ｄ】
0006307094.tif 000013
【図９Ｅ】
0006307094.tif 000014
【図９Ｆ】
0006307094.tif 000015
【図９Ｇ】
0006307094.tif 000016
【図９Ｈ】
0006307094.tif 000017
【図９Ｉ】
0006307094.tif 000018
【図１０】
0006307094.tif 000019
【図１１】
0006307094.tif 000020